(57)【要約】【課題】  一定の集団に均等に配布される写真アルバムを製作するためのシステム及びその制御方法であって、該写真アルバムに共通した内容を掲載する共通ページ部と、利用者が選択した内容を掲載する選択ページ部とからなる写真アルバムを製作するためのシステム及びその制御方法に関し、利用者による操作を簡便なものにするとともに、該写真アルバムの内容について利用者の満足する度合いを向上させた写真アルバム製作システム及びその制御方法を提供する。【解決手段】  写真アルバム製作者Ｂは、共通ページ部に係るページデータと、選択ページ部の候補に係るページデータとを作成し、共通ページ部に係るページデータと、該選択ページ部の候補に係るページデータとをページデータ記憶部２ｄに記憶させる。利用者Ａは、該選択ページ部の候補から選択ページ部として掲載することを希望するページデータを選択する。【選択図】      図２
2020135093.tif 000002
【特許請求の範囲】
【請求項１】
一定の集団に均等に配布される写真アルバムを製作するためのシステムであって、該写真アルバムに共通した内容を掲載する共通ページ部と、該システムの利用者が選択した内容を掲載する選択ページ部とを有する写真アルバムを製作するためのシステムであり、利用者用情報端末機と、写真アルバム製作者用情報端末機とを接続したネットワークシステムを通じて提供される写真アルバム製作システムであって、該利用者用情報端末機は、写真アルバム製作システムを利用して写真アルバムを入手しようと利用者が使用する情報端末機であって、制御手段と、通信手段と、画像表示手段と、入力手段とを備えるインターネットに接続可能な情報端末機であり、該制御手段は、その制御プログラムによって利用者用情報端末機における各部の動作を制御するための手段であり、該通信手段は、ネットワークを介して該写真アルバム製作者用情報端末機との間で該写真アルバム製作システムに関するデータを送受信するための通信インターフェースであり、該画像表示手段は、該写真アルバム製作システムによって表示される画像を表示するための手段であり、該入力手段は、該利用者が該利用者用情報端末機を操作するための手段であり、該写真アルバム製作者用情報端末機は、制御手段と、通信手段と、記憶手段とを備えるインターネットに接続可能な情報端末機であって、該制御手段は、その制御プログラムによって該写真アルバム製作者用情報端末機における各部の動作を制御する手段であり、該通信手段は、ネットワークを介して該利用者用情報端末機との間で該写真アルバム製作システムに関するデータを送受信するための通信インターフェースであり、該記憶手段は、該写真アルバム製作システムに関する情報を保持するための手段であり、該写真アルバム製作システムは、該共通ページ部に係るページデータと、該選択ページ部の候補として写真アルバム製作者がその内容を作成した複数の選択ページ部の候補に係るページデータを記憶するためのページデータ記憶手段を備えており、該写真アルバム製作者用情報端末機が該利用者用情報端末機からの要求に応じて共通ページ部に係るページデータ及び選択ページ部の候補に係るページデータを該利用者用情報端末機に提供して該画像表示手段に表示するためのページデータ提供手段を備えており、該ページデータ提供手段によって提供された選択ページ部の候補に係るページデータの内、該利用者が該利用者用情報端末機から該選択ページ部に掲載するページデータとして選択した指示に基づいて当該ページデータを選択するページデータ選択手段を備えており、該ページデータ選択手段によって選択されたページデータを選択ページ部に係るページデータとして記憶するための選択ページデータ記憶手段を備えており、該選択ページデータ記憶手段によって記憶された選択ページ部に係るページデータと共通ページ部に係るページデータとからなる写真アルバムとして出力するための出力手段を有していることを特徴とする写真アルバム製作システム。
【請求項２】
請求項１に記載した写真アルバム製作システムであって、更に、前記選択ページデータ記憶手段によって記憶された選択ページ部に係るページデータに応じて該写真アルバムを製作する費用を決済する決済手段を有していることを特徴とする写真アルバム製作システム。
【請求項３】
一定の集団に均等に配布される写真アルバムを製作するためのシステムを制御するための方法であって、該写真アルバムに共通した内容を掲載する共通ページ部と、利用者が選択した内容を掲載する選択ページ部とを有する写真アルバムを製作するためのシステムを制御するための方法であり、利用者用情報端末機と、写真アルバム製作者用情報端末機とを接続したネットワークシステムを通じて提供される写真アルバム製作システムの制御方法であって、利用者用情報端末機は、該写真アルバム製作システムを利用して写真アルバムを入手しようとする利用者が使用する情報端末機であって、制御手段と、通信手段と、画像表示手段と、入力手段とを備えるインターネットに接続可能な情報端末機であり、該制御手段は、その制御プログラムによって該利用者用情報端末機における各部の動作を制御するための手段であり、該通信手段は、ネットワークを介して写真アルバム製作者用情報端末機との間で該写真アルバム製作システムに関するデータを送受信するための通信インターフェースであり、該画像表示手段は、該写真アルバム製作システムによって表示される画像を表示するための手段であり、該入力手段は該利用者が該利用者用情報端末機を操作するための手段であり、該写真アルバム製作者用情報端末機は、制御手段と、通信手段と、記憶手段とを備えるインターネットに接続可能な情報端末機であり、該制御手段は、その制御プログラムによって該写真アルバム製作者用情報端末機における各部の動作を制御する手段であり、該通信手段は、ネットワークを介して該利用者用情報端末機との間で該写真アルバム製作システムに関するデータを送受信するための通信インターフェースであり、該記憶手段は、該写真アルバム製作システムに関する情報を保持するための手段であり、写真アルバム製作システムの制御方法は、該共通ページ部に係るページデータと、該選択ページ部の候補として写真アルバム製作者がその内容を作成した複数の選択ページ部の候補に係るページデータを記憶するステップと、該写真アルバム製作者用情報端末機が該利用者用情報端末機からの要求に応じて共通ページ部に係るページデータ及び選択ページ部の候補に係るページデータを該利用者用情報端末機に提供して該画像表示手段に表示するステップと、上記のステップによって提供された選択ページ部の候補に係るページデータの内、該利用者が該利用者用情報端末機から該選択ページ部に掲載するページデータとして選択した指示に基づいて当該ページデータを選択するステップと、上記のステップによって選択されたページデータを選択ページ部に係るページデータとして記憶するためのステップと、上記のステップによって記憶された選択ページ部に係るページデータと共通ページ部に係るページデータとからなる写真アルバムとして出力するステップとを有していることを特徴とする写真アルバム製作システムの制御方法。
【請求項４】
請求項３に記載した写真アルバム製作方法であって、更に、前記選択ページ部に係るページデータとして記憶されたページデータに応じて写真アルバムを製作する費用を決済するステップを有していることを特徴とする写真アルバム製作システムの制御方法。
【発明の詳細な説明】
【技術分野】
【０００１】
本願発明は、卒園アルバムや卒業アルバムといった一定の集団に均等に配布される写真アルバムを製作するためのシステム及びその制御方法に関し、特に、該写真アルバムに共通した内容を掲載する共通ページ部と、利用者が選択した内容を掲載する選択ページ部とからなる写真アルバムを製作するためのシステム及びその制御方法に関する。
【背景技術】
【０００２】
本願発明に係る写真アルバム製作システム及びその制御方法は、一定の集団に均等に配布される写真アルバムを製作するためのシステム及びその制御方法に関するものであるが、本願では特に卒業アルバムを製作する場合を例にして説明する。
【０００３】
卒業アルバムは、一般に、小学校や中学校といった各種の教育機関を卒業する際に、ある特定の学級や学年に所属する児童や生徒全員に均等に配布される写真アルバムであり、該卒業アルバムには全て同じ写真が同じ配置で掲載されていて、画一的な内容になっているところである。そうすると、該卒業アルバムにおいて、ある特定の児童や生徒が写っている写真が掲載されている回数が多かったり少なかったり、あるいは写っているサイズが大きかったり小さかったりすると、児童や生徒あるいはその保護者の間に不公平感を生じさせることがある。そのため、該学級を担任する教員等の教育機関の教職員や該卒業アルバムを製作する写真アルバム製作事業者といった該卒業アルバムを編集する者は多大な責任を負っていた。
【０００４】
即ち、児童や生徒あるいはその保護者の間に不公平感を生じさせることがないように、該卒業アルバムを編集する者は、特定の児童や生徒が写っている写真が該卒業アルバムに掲載されている回数を均等にしたり写っているサイズを揃えたりするために、多大な労力の負担を強いられているのであった。
【０００５】
一方、特定の児童や生徒が写っている写真が該卒業アルバムに掲載されている回数を均等にしようとしたり写っているサイズを揃えようとしたりすると、該学級に所属している児童や生徒全員が集合している同じような構図の写真ばかりが掲載されるようなことになってしまい、学校生活における貴重な思い出を記録するための卒業アルバムとしての面白みに欠けるという問題があった。
【０００６】
また、児童や生徒あるいはその保護者によって、該卒業アルバムに掲載することを望む写真あるいは望まない写真が異なるとともに、該卒業アルバムを購入するために出費してもよいと考える金額も異なるところ、上記のような画一的な内容の卒業アルバムではそういった個別的な要望あるいは金銭的な要望に応じることが困難であるという問題があった。
【０００７】
そこで、上記のような問題点を解決すべく、従来、卒業アルバムにおいて、該卒業アルバムに共通した内容を掲載する共通ページ部と、教育機関の教職員あるいは児童や生徒又はその保護者等が選択した内容を掲載する選択ページ部とからなる卒業アルバムを製作するためのシステム及びその制御方法が提案されており、例えば、以下のような提案が為されている。
【０００８】
即ち、ネットワークを介して、複数のページからなるアルバムを製作するためのアルバム製作装置と、ユーザ端末とが接続されたアルバム製作システムであって、撮影画像を所定の分類に基づいて記憶する画像記憶手段と、上記ユーザ端末からの要求に応じて、ユーザ毎に編集可能なユーザページ及び上記ユーザが属する集団に共通な共通ページを提供するページ提供手段と、上記画像記憶手段に記憶されている上記撮影画像を上記ページ提供手段により提供するユーザページ及び共通ページの項目に基づき抽出する画像抽出手段と、上記画像抽出手段によりユーザページ及び共通ページの項目に基づき抽出された上記撮影画像を提供する画像提供手段と、上記画像提供手段により提供された上記撮影画像が上記ユーザページの項目に基づき抽出された撮影画像であれば上記ユーザページを編集可能なユーザ端末からの編集指示に応じて当該撮影画像を編集し、上記画像提供手段により提供された上記撮影画像が上記共通ページの項目に基づき抽出された撮影画像であれば上記共通ページを編集可能なユーザ端末からの編集指示に応じて当該撮影画像を編集する編集手段と、上記編集手段により編集された撮影画像の画像情報を上記ユーザページ及び上記共通ページとして記憶する編集画像記憶手段と、上記編集画像記憶手段に記憶された上記画像情報に係るユーザページ及び共通ページから成るアルバムを出力する出力手段とを備えることを特徴とするアルバム製作システムが提案されている（例えば、以下の特許文献１を参照）。
【０００９】
また、ウェブサイトに写真アルバム作成サービスのページを表示する写真アルバム作成サービスページ表示ステップと、ユーザの端末装置から上記ウェブサイトを介して入力されたログインＩＤ及びパスワードを受信するパスワード受信ステップと、上記パスワードを認証するパスワード認証ステップと、上記パスワードが会員のものであることを認証した場合に、上記ユーザの端末装置に対して、会員専用のウエブページを表示する会員専用ページ表示ステップと、上記会員専用ページにて上記ユーザが入力した検索条件を受信する検索条件受信ステップと、上記検索条件に適合する画像を上記会員専用ページに表示する画像表示ステップと、上記会員専用ページにて上記ユーザが選択した画像の写真プリントの申し込みを受信する写真プリント申し込み受信ステップと、写真プリントの申し込み手続きが完了したことを上記会員専用ページに表示する手続き完了報告ステップと、を含む写真アルバム作成方法も提案されている（例えば、以下の特許文献２を参照）。
【００１０】
そして、閲覧者と該閲覧者に対して閲覧が許可されているブックデータとを関連付けて登録する登録手段と、ブックデータのアルバム化を行うアルバム化手段とを備えるアルバム製作システムであって、前記登録手段に登録されている閲覧者に閲覧が許可されているブックデータから、該閲覧者による情報通信装置での操作に応じて選択されたページデータを取得する取得手段と、前記取得されたページデータからなるブックデータを、注文用ブックデータとして生成する生成手段と、前記登録手段に登録されている閲覧者による情報通信装置での操作に応じて、前記生成された注文用ブックデータのアルバム化要求を前記アルバム化手段に送信する送信手段とを備えることを特徴とするアルバム製作システムも提案されている（例えば、以下の特許文献３を参照）。
【００１１】
上記のような写真アルバム製作システム及びその制御方法によれば、卒業アルバムにおいて、該卒業アルバムに共通した内容を掲載する共通ページ部と、教育機関の教職員あるいは児童や生徒又はその保護者等が選択した内容を掲載する選択ページ部とからなる卒業アルバムを製作することができる。そうすると、該システムの利用者自身が選択した内容を掲載することができるため、児童や生徒あるいはその保護者等の間に不公平感を生じさせることはなく、該卒業アルバムを編集する者も多大な責任や労力の負担を強いられることなく、卒業アルバムとしての面白みも担保される。また、児童や生徒あるいはその保護者等からの該卒業アルバムに掲載することを望む写真を掲載し、あるいは望まない写真を掲載しないといった個別的な要望に応じるとともに、該卒業アルバムを購入するために出費してもよいと考える金額に応じた内容を有する卒業アルバムを製作することもできる。
【先行技術文献】
【特許文献】
【００１２】
【特許文献１】特許第３４６６９９６号公報
【特許文献２】特開２００８−２１１９１号公報
【特許文献３】特開２００８−２９３３４９号公報
【発明の概要】
【発明が解決しようとする課題】
【００１３】
しかしながら、一般に、写真アルバムの中でも卒業アルバムの製作には一定の知識や経験等を必要とするものであるところ、上記のような従来提案されてきた写真アルバム製作システム及びその制御方法は、そのような知識や経験等を必ずしも十分に有していない教育機関の教職員あるいは児童や生徒又はその保護者等といった該システムの利用者が該写真アルバムに掲載する写真を選択するとともにその配置等を行って該選択ページ部を自ら作成するため、該写真アルバムの製作に多大な時間と労力が必要になるという問題があった（例えば、上記の特許文献１ないし３を参照）。そこで、本願発明が解決しようとする第１の課題は、一定の集団に均等に配布される写真アルバムを製作するためのシステム及びその制御方法であって、該写真アルバムに共通した内容を掲載する共通ページ部と、利用者が選択した内容を掲載する選択ページ部とからなる写真アルバムを製作するためのシステム及びその制御方法に関し、該システムの利用者による操作を簡便なものにした写真アルバム製作システム及びその制御方法を提供することにある。
【００１４】
仮に、利用者が多大な時間と労力をかけて該写真アルバムに掲載する写真を選択し、その配置等を行って該選択ページ部を自ら作成したとしても、上記の通り、利用者は写真アルバムの製作に係る知識や経験等を十分に有していないことが多いところ、必ずしも利用者が満足する内容を有する該選択ページ部を備えた写真アルバムを製作することができないという問題があった。そこで、本願発明が解決しようとする第２の課題は、一定の集団に均等に配布される写真アルバムを製作するためのシステム及びその制御方法であって、該写真アルバムに共通した内容を掲載する共通ページ部と、利用者が選択した内容を掲載する選択ページ部とからなる写真アルバムを製作するためのシステム及びその制御方法に関し、該写真アルバムの内容について利用者の満足する度合いを向上させた写真アルバム製作システム及びその制御方法を提供することにある。
【課題を解決するための手段】
【００１５】
本願発明は、上記の各課題を解決するために提案されたものであり、以下の構成を有するものである。以下では、本願発明の構成を理解することを補助するために、本願に添付した図面に表示した番号及び符号をあわせて記載する。
【００１６】
請求項１に係る写真アルバム製作システム（Ｓ）は、一定の集団に均等に配布される写真アルバムを製作するためのシステムであって、該写真アルバムに共通した内容を掲載する共通ページ部と、該システムの利用者が選択した内容を掲載する選択ページ部とを有する写真アルバムを製作するためのシステムであり、利用者用情報端末機（１）と、写真アルバム製作者用情報端末機（２）とを接続したネットワークシステムを通じて提供される写真アルバム製作システムである。
【００１７】
利用者用情報端末機（１）は、写真アルバム製作システム（Ｓ）を利用して写真アルバムを入手しようとする者が使用する情報端末機であって、制御手段（１ａ）と、通信手段（１ｂ）と、画像表示手段（１ｃ）と、入力手段（１ｄ）とを備えるインターネットに接続可能な情報端末機である。制御手段（１ａ）は、その制御プログラムによって利用者用情報端末機（１）における各部の動作を制御するための手段である。通信手段（１ｂ）は、ネットワークを介して写真アルバム製作者用情報端末機（２）との間で該写真アルバム製作システムに関するデータを送受信するための通信インターフェースである。画像表示手段（１ｃ）は、該写真アルバム製作システムによって表示される画像を表示するための手段である。入力手段（１ｄ）は、利用者（Ａ）が利用者用情報端末機（１）を操作するための手段である。
【００１８】
写真アルバム製作者用情報端末機（２）は、制御手段（２ａ）と、通信手段（２ｂ）と、記憶手段（２ｃ）とを備えるインターネットに接続可能な情報端末機である。制御手段（２ａ）は、その制御プログラムによって写真アルバム製作者用情報端末機（２）における各部の動作を制御する手段である。通信手段（２ｂ）は、ネットワークを介して利用者用情報端末機（１）との間で該写真アルバム製作システムに関するデータを送受信するための通信インターフェースである。記憶手段（２ｃ）は、写真アルバム製作システム（Ｓ）に関する情報を保持するための手段である。
【００１９】
写真アルバム製作システム（Ｓ）は、該共通ページ部に係るページデータと、該選択ページ部の候補として写真アルバム製作者がその内容を作成した複数の選択ページ部の候補に係るページデータを記憶するためのページデータ記憶手段を備えており、写真アルバム製作者用情報端末機（２）が利用者用情報端末機（１）からの要求に応じて共通ページ部に係るページデータ及び選択ページ部の候補に係るページデータを利用者用情報端末機（１）に提供して画像表示手段（１ｃ）に表示するためのページデータ提供手段を備えており、ページデータ提供手段によって提供された選択ページ部の候補に係るページデータの内、利用者が利用者用情報端末機（１）から該選択ページ部に掲載するページデータとして選択した指示に基づいて当該ページデータを選択するページデータ選択手段を備えており、ページデータ選択手段によって選択されたページデータを選択ページ部に係るページデータとして記憶するための選択ページデータ記憶手段を備えており、選択ページデータ記憶手段によって記憶された選択ページ部に係るページデータと共通ページ部に係るページデータとからなる写真アルバムとして出力するための出力手段を有している。
【００２０】
請求項２に係る写真アルバム製作システム（Ｓ）は、請求項１に記載した写真アルバム製作システム（Ｓ）であって、更に、選択ページデータ記憶手段によって記憶された選択ページ部に係るページデータに応じて該写真アルバムを製作する費用を決済する決済手段を有している。
【００２１】
請求項３に係る写真アルバム製作システム（Ｓ）の制御方法は、一定の集団に均等に配布される写真アルバムを製作するためのシステムを制御するための方法であって、該写真アルバムに共通した内容を掲載する共通ページ部と、利用者が選択した内容を掲載する選択ページ部とを有する写真アルバムを製作するためのシステムを制御するための方法であり、利用者用情報端末機（１）と、写真アルバム製作者用情報端末機（２）とを接続したネットワークシステムを通じて提供される写真アルバム製作システムの制御方法である。
【００２２】
利用者用情報端末機（１）は、写真アルバム製作システム（Ｓ）を利用して写真アルバムを入手しようとする者が使用する情報端末機であって、制御手段（１ａ）と、通信手段（１ｂ）と、画像表示手段（１ｃ）と、入力手段（１ｄ）とを備えるインターネットに接続可能な情報端末機である。制御手段（１ａ）は、その制御プログラムによって利用者用情報端末機（１）における各部の動作を制御するための手段である。通信手段（１ｂ）は、ネットワークを介して写真アルバム製作者用情報端末機（２）との間で該写真アルバム製作システムに関するデータを送受信するための通信インターフェースである。画像表示手段（１ｃ）は、該写真アルバム製作システムによって表示される画像を表示するための手段である。入力手段（１ｄ）は、利用者（Ａ）が利用者用情報端末機（１）を操作するための手段である。
【００２３】
写真アルバム製作者用情報端末機（２）は、制御手段（２ａ）と、通信手段（２ｂ）と、記憶手段（２ｃ）とを備えるインターネットに接続可能な情報端末機である。制御手段（２ａ）は、その制御プログラムによって写真アルバム製作者用情報端末機（２）における各部の動作を制御する手段である。通信手段（２ｂ）は、ネットワークを介して利用者用情報端末機（１）との間で該写真アルバム製作システムに関するデータを送受信するための通信インターフェースである。記憶手段（２ｃ）は、写真アルバム製作システム（Ｓ）に関する情報を保持するための手段である。
【００２４】
写真アルバム製作システム（Ｓ）の制御方法は、該共通ページ部に係るページデータと、該選択ページ部の候補として写真アルバム製作者がその内容を作成した複数の選択ページ部の候補に係るページデータを記憶するステップと、写真アルバム製作者用情報端末機（２）が利用者用情報端末機（１）からの要求に応じて共通ページ部に係るページデータ及び選択ページ部の候補に係るページデータを利用者用情報端末機（１）に提供して画像表示手段（１ｃ）に表示するステップと、上記のステップによって提供された選択ページ部の候補に係るページデータの内、利用者が利用者用情報端末機（１）から該選択ページ部に掲載するページデータとして選択した指示に基づいて当該ページデータを選択するステップと、上記のステップによって選択されたページデータを選択ページ部に係るページデータとして記憶するためのステップと、上記のステップによって記憶された選択ページ部に係るページデータと共通ページ部に係るページデータとからなる写真アルバムとして出力するステップとを有している。
【００２５】
請求項４に係る写真アルバム製作システム（Ｓ）の制御方法は、請求項３に記載した写真アルバム製作方法であって、更に、選択ページ部に係るページデータとして記憶されたページデータに応じて写真アルバムを製作する費用を決済するステップを有している。
【発明の効果】
【００２６】
本願発明に係る写真アルバム製作システム及びその制御方法は、上記の通りの構成であるから、以下のような効果を奏することができる。
【００２７】
まず、請求項１に記載した写真アルバム製作システム及び請求項３に記載したその制御方法によれば、写真アルバム製作者がその内容を作成した複数の選択ページ部の候補に係るページデータを選択ページ部の候補として提供するものである。そうすると、利用者は、該選択ページ部の候補から選択ページ部として掲載することを希望するページデータを選択するだけであるから、写真アルバムの製作に十分な知識や経験を有していない利用者であっても、簡便に自らの所望する内容を有する写真アルバムを製作することができる。よって、請求項１に記載した写真アルバム製作システム及び請求項３に記載したその制御方法方法は、一定の集団に均等に配布される写真アルバムを製作するためのシステム及びその制御方法であって、該写真アルバムに共通した内容を掲載する共通ページ部と、利用者が選択した内容を掲載する選択ページ部とからなる写真アルバムを製作するためのシステム及びその制御方法に関し、利用者による操作を簡便なものにした写真アルバム製作システム及びその制御方法を提供するという本願発明が解決しようとする第１の課題を解決することができる。
【００２８】
次に、請求項１に記載した写真アルバム製作システム及び請求項３に記載したその制御方法によれば、写真アルバム提供者がその内容を作成した複数の選択ページ部の候補に係るページデータを選択ページ部の候補として提供するものである。そうすると、利用者は、該選択ページ部の候補から選択ページ部として掲載することを希望するページデータを選択するだけで、写真アルバムの製作に係る十分な知識や経験等を有していなくても、利用者が満足する内容を備える写真アルバムを製作することができる。そうすると、請求項１に記載した写真アルバム製作システム及び請求項３に記載したその制御方法は、一定の集団に均等に配布される写真アルバムを製作するためのシステム及びその制御方法であって、該写真アルバムに共通した内容を掲載する共通ページ部と、利用者が選択した内容を掲載する選択ページ部とからなる写真アルバムを製作するためのシステム及びその制御方法に関し、該写真アルバムの内容について利用者の満足する度合いを向上させた写真アルバム製作システム及びその制御方法を提供するという本願発明が解決しようとする第２の課題を解決することができる。
【００２９】
ここで、請求項３に記載した写真アルバム製作システムは、選択ページデータ記憶手段によって記憶された選択ページ部に係るページデータに応じて写真アルバムを製作する費用を決済する決済手段を有しており、請求項４に記載した写真アルバム製作方法は、選択ページ部に係るページデータとして記憶されたページデータに応じて写真アルバムを製作する費用を決済するステップを有している。そうすると、利用者は、自らの所望する内容を有する写真アルバムの製作と同時に、その費用を決済することができ、効率的である。
【００３０】
もちろん、上記のような本願発明に係る写真アルバム製作システム及びその制御方法によれば、特定の児童や生徒が所属する学級や学年に均等に配布される写真アルバムにおいて、該写真アルバムに共通した内容を掲載する共通ページ部と、該学級を担任する教員等の教育機関の教職員又は該児童や生徒あるいはその保護者等の利用者が選択した内容を掲載する選択ページ部とからなる写真アルバムを製作することができる。そうすると、該利用者が選択した内容を掲載することができるため、児童や生徒あるいはその保護者等の間に不公平感を生じさせることはなく、それと同時に該卒業アルバムを編集する者も多大な責任や労力の負担を強いられることもなく、卒業アルバムとしての面白みも担保される。また、児童や生徒あるいはその保護者等からの該卒業アルバムに掲載することを望む写真を掲載し、あるいは望まない写真を掲載しないといった個別的な要望に応じるとともに、該卒業アルバムを購入するために出費してもよいと考える金額に応じた内容を有する卒業アルバムを製作することもできる。
【図面の簡単な説明】
【００３１】
【図１】本願発明の一実施形態に係る写真アルバム製作システムのシステム構成図である。
【図２】本願発明の一実施形態に係る写真アルバム製作システムのブロック図である。
【図３】本願発明の一実施形態に係る写真アルバム製作システムにログインできるようにするための手順を示すフローチャートである。
【図４】本願発明の一実施形態に係る写真アルバム製作システムにログインするための手順を示すフローチャートである。
【図５】本願発明の一実施形態に係る写真アルバム製作システムを利用して利用者が写真アルバム製作者に写真アルバムの製作を依頼する手順を示すフローチャートである。
【発明を実施するための形態】
【００３２】
まず、本発明の一実施形態に係る写真アルバム製作システム（Ｓ）の構成について添付図面に基づいて説明する。尚、以下では特に小学校や中学校といった各種の教育機関等における卒業アルバムを製作する場合を例にして説明するが、本発明に係る写真アルバム製作システム（Ｓ）は、特にこれに限定されるものではなく、例えば幼稚園といった各種の保育機関における卒園アルバムを製作するといったように、各種の写真アルバムを製作するためにも用いることができる。
【００３３】
写真アルバム製作システム（Ｓ）は、図１に図示するように、一定の集団に均等に配布される写真アルバムを製作するためのシステムであって、該写真アルバムに共通した内容を掲載する共通ページ部と、利用者（Ａ）が選択した内容を掲載する選択ページ部とを有する写真アルバムを製作するためのシステムであり、利用者用情報端末機（１）と、写真アルバム製作者用情報端末機（２）とを接続したネットワークシステムを通じて提供される写真アルバム製作システムである。利用者用情報端末機（１）と写真アルバム製作者用情報端末機（２）とは、電話回線や光ファイバー回線等を介してインターネット等のネットワークに接続されており、相互にデータの共有や受け渡しを行うことが可能になっている。
【００３４】
ここで、本件出願でいうところの一定の集団に均等に配布される写真アルバムとは、具体的には、小学校や中学校といった各種の教育機関を卒業する際に、ある特定の学級や学年に所属する児童や生徒全員に配布される卒業アルバムが想定される。また、共通ページ部とは、例えば、ある特定の学級に所属している児童や生徒及び該学級を担任している教諭等を撮影した写真、あるいは特定の部活動や委員会活動に所属しているメンバーを撮影した写真、該教育機関における入学式、運動会、遠足、修学旅行、社会科見学、及び卒業式といった各種の行事を撮影した写真を掲載しているような該写真アルバムに共通した内容を掲載するページのことである。そして、選択ページ部とは、例えば、該教育機関における日常生活等において特定の児童や生徒の様子に焦点を当てて撮影した写真等を掲載しているようなページであって、利用者（Ａ）が選択した内容を掲載するページのことである。ここで、利用者（Ａ）とは、該卒業アルバムの被写体になった児童や生徒が所属する学級を担任する教員等の教育機関の教職員あるいは該児童や生徒自身又はその保護者といった写真アルバム製作システム（Ｓ）を利用して卒業アルバムを入手しようとする者のことである。
【００３５】
利用者用情報端末機（１）とは、図２に図示するように、利用者（Ａ）が使用する情報端末機であって、制御手段（１ａ）と、通信手段（１ｂ）と、画像表示手段（１ｃ）と、入力手段（１ｄ）とを備えるインターネットに接続可能な情報端末機である。利用者用情報端末機（１）は、更に、決済操作部（１ｅ）を備えている。利用者用情報端末機（１）とは、具体的には、携帯電話機、スマートフォン、タブレット型端末、又はパーソナルコンピュータ等である。
【００３６】
制御手段（１ａ）は、ＲＡＭ、ＲＯＭ、マイクロプロセッサ等であって、これらに格納された制御プログラムによって利用者用情報端末機（１）における各部の動作を制御するための手段である。
【００３７】
通信手段（１ｂ）は、ネットワークを介して写真アルバム製作者用情報端末機（２）との間で通信データを送受信するための通信インターフェースである。
【００３８】
画像表示手段（１ｃ）は、写真アルバム製作システム（Ｓ）に関する画像を表示するための手段であって、例えば液晶表示ディスプレイ等である。利用者（Ａ）は、画像表示手段（１ｃ）に表示される画像を見て、入力手段（１ｄ）により利用者用情報端末機（１）を操作することができる。
【００３９】
入力手段（１ｄ）は、利用者（Ａ）が利用者用情報端末機（１）を操作するための手段である。入力手段（１ｄ）は、具体的には、マウスやキーボード等である。もっとも、利用者用情報端末機（１）がスマートフォンやタブレット型端末等である場合には、画像表示手段（１ｃ）が、メニュー画面を表示する等して利用者（Ａ）が利用者用情報端末機（１）を操作するための入力手段（１ｄ）としても機能し得る。
【００４０】
決済操作部（１ｅ）は、利用者（Ａ）が写真アルバム製作システム（Ｓ）を利用して写真アルバムを購入する際に写真アルバム製作者（Ｂ）に支払う費用を決済するための操作の処理を行う。
【００４１】
写真アルバム製作者用情報端末機（２）は、制御手段（２ａ）と、通信手段（２ｂ）と、記憶手段（２ｃ）とを備えるインターネットに接続可能な情報端末機である。写真アルバム製作者用情報端末機（２）は、具体的には、パーソナルコンピュータやサーバ用コンピューター等である。写真アルバム製作者用情報端末機（２）は、更に、ページデータ記憶部（２ｄ）と、選択ページデータ記憶部（２ｅ）と、ウェブサイト管理部（２ｆ）と、利用者情報データベース（２ｇ）と、認証管理部（２ｈ）と、決済処理部（２ｉ）と、出力部（２ｊ）と、配送管理部（２ｋ）とを有している。写真アルバム製作者用情報端末機（２）に係る制御手段（２ａ）と、通信手段（２ｂ）とは、前記利用者用情報端末機（１）に係るものと同様のものである。記憶手段（２ｃ）は、写真アルバム製作システム（Ｓ）に関する情報を保持するための手段であって、例えば、ハードディスクやフラッシュメモリである。尚、写真アルバム製作者用情報端末機（２）における下記の各部における処理は自動的に行うことができるように構成することができる
【００４２】
ページデータ記憶部（２ｄ）は、記憶手段（２ｃ）において、共通ページ部に係るページデータと、該選択ページ部の候補に係るページデータとを記憶するための箇所である。
【００４３】
選択ページデータ記憶部（２ｅ）は、選択ページ部の候補に係るページデータの内、利用者（Ａ）が卒業アルバムの選択ページ部に係るページデータとして選択した特定のページデータを選択ページ部に係るページデータとして記憶するための箇所である。
【００４４】
ウェブサイト管理部（２ｆ）は、写真アルバム製作者（Ｂ）が写真アルバム製作システム（Ｓ）に関して運営するウェブサイトについて、その作成、更新、及び管理等を行うための箇所である。
【００４５】
利用者情報データベース（２ｇ）は、利用者（Ａ）から提供された利用者情報を取集及び整理するためのデータベースである。ここで、本件出願でいうところの利用者情報とは、利用者（Ａ）の氏名、住所、電話番号、メールアドレス、及び写真アルバム製作システム（Ｓ）によって製作した写真アルバムの送付先といった利用者（Ａ）に関する各種の情報のことである。
【００４６】
認証管理部（２ｈ）は、利用者情報を提供した利用者（Ａ）に対して、ログインＩＤ及びログインパスワードを付与するとともに、利用者（Ａ）が入力したログインＩＤ及びログインパスワードを認証するための箇所である。
【００４７】
決済処理部（２ｉ）は、利用者（Ａ）が写真アルバム製作システム（Ｓ）を利用して写真アルバムを購入する際に写真アルバム製作者（Ｂ）に支払う費用を決済するための処理を行う。
【００４８】
出力部（２ｊ）は、選択ページデータ記憶部（２ｅ）に記憶されたページデータと共通ページ部とに係るページデータとを結合して卒業アルバムとして出力し、各種の印刷機や製本機によって印刷ないし製本を行うための箇所である。
【００４９】
配送管理部（２ｋ）は、利用者（Ａ）が該卒業アルバムの受領場所として指定した場所に、該卒業アルバムを発送するとともにその配送状況を管理するための箇所である。ここで、該卒業アルバムの受領場所としては、該児童や生徒が所属する教育機関や利用者（Ａ）の自宅や職場等が考えられる。
【００５０】
以上が、本発明の一実施形態に係る写真アルバム製作システム（Ｓ）の構成についての説明である。次に、本発明の一実施形態に係る写真アルバム製作システム（Ｓ）の動作について説明する。
【００５１】
写真アルバム製作システム（Ｓ）を利用する際、まず、写真アルバム製作者（Ｂ）は、小学校や中学校といった教育機関等との間で卒業アルバムの製作及び提供に関する契約を締結する。そして、写真アルバム製作者（Ｂ）は、該教育機関における入学式、運動会、遠足、修学旅行、社会科見学、及び卒業式といった各種の行事や日常の学校生活での児童や生徒の様子を写真撮影する。次に、写真アルバム製作者（Ｂ）は、上記のようにして撮影した写真を整理したり調節したりした上で、該卒業アルバムを形成するページデータ上に適宜配置し、共通ページ部に係るページデータと、選択ページ部の候補に係るページデータとを作成する。そして、写真アルバム製作者（Ｂ）は、共通ページ部に係るページデータと、該選択ページ部の候補に係るページデータとをページデータ記憶部（２ｄ）に記憶させる。
【００５２】
利用者（Ａ）が、写真アルバム製作システム（Ｓ）を利用するための利用者用ウェブページにログインできるようにするための手順について説明する。利用者（Ａ）は、利用者用情報端末機（１）から、写真アルバム製作者用情報端末機（２）におけるウェブサイト管理部が提供する写真アルバム製作者（Ｂ）が運営するウェブサイトにアクセスする（Ｓ１０１）。ウェブサイト管理部は、利用者用情報端末機（１）の画像表示手段（１ｃ）に利用者情報登録ウェブページを表示する（Ｓ２０１）。利用者（Ａ）は、利用者情報を利用者用情報端末機（１）から写真アルバム製作者用情報端末機（２）へと送信する（Ｓ１０２）。写真アルバム製作者用情報端末機（２）の認証管理部（２ｈ）は、上記のようにして送信されてきた利用者情報を写真アルバム製作者用情報端末機（２）の利用者情報データベース（２ｇ）に収集する（Ｓ２０２）。認証管理部（２ｈ）は、写真アルバム製作システム（Ｓ）を利用するための利用者用ウェブページにログインするためのログインＩＤ及びログインパスワードを利用者用情報端末機（１）に対して発信する。具体的には、ログインＩＤ及びログインパスワードを利用者（Ａ）が登録したメールアドレス宛てに電子メールによって送信したり、それらを画像表示手段（１ｃ）に表示したりする（Ｓ２０３）。利用者用情報端末機（１）は、写真アルバム製作者用情報端末機（２）から、ログインＩＤ及びログインパスワードに関する通知を受信して、写真アルバム製作システム（Ｓ）にログインできるようにするための一連の処理を終了する（Ｓ１０３）。以後、利用者（Ａ）は、ログインＩＤ及びログインパスワードを利用して、写真アルバム製作システム（Ｓ）にログインできるようになる。
【００５３】
利用者（Ａ）が写真アルバム製作システム（Ｓ）へログインするための手順について説明する。利用者（Ａ）は、利用者用情報端末機（１）から、写真アルバム製作者用情報端末機（２）のウェブサイト管理部（２ｆ）が提供する写真アルバム製作者（Ｂ）が運営するウェブサイトにアクセスする（Ｓ３０１）。ウェブサイト管理部（２ｆ）は、利用者用情報端末機（１）の画像表示手段（１ｃ）に利用者用ウェブページにログインするためのログインページを表示する（Ｓ４０１）。利用者（Ａ）は、該ログインページにおいて、入力手段（１ｄ）から前述のログインＩＤ及びログインパスワードを入力する（Ｓ３０２）。認証管理部（２ｈ）は、利用者が入力したログインＩＤ及びログインパスワードを利用者情報データベース（２ｇ）と照らし合わせて、利用者（Ａ）が利用者用ウェブページにログインする権限があるか否かを判断する（Ｓ４０２）。認証管理部（２ｈ）が利用者（Ａ）に利用者用ウェブページへログインする権限があると判断した場合には、ウェブサイト管理部（２ｆ）は画像表示手段（１ｃ）に利用者用ウェブページを表示して、写真アルバム製作システム（Ｓ）へログインするための手順を終了する（Ｓ４０３）。一方、認証管理部（２ｈ）が利用者（Ａ）に利用者用ウェブページへログインする権限がないと判断した場合にはウェブサイト管理部（２ｆ）は画像表示手段（１ｃ）に利用者用ウェブページへログインする権限がない旨を表示して、利用者用ウェブページへログインするための手順を終了する（Ｓ４０４）。
【００５４】
利用者（Ａ）が利用者用ウェブページへログインすると表示されるメニュー画面には、「個別写真購入」項目、「卒業アルバム購入」項目が表示されており、利用者（Ａ）はメニュー画面における項目の中から１つの項目を選択する。利用者（Ａ）が「個別写真購入」項目を選択した場合には、ウェブサイト管理部（２ｆ）は、「個別写真購入」のウェブページを画像表示手段（１ｃ）に表示する。利用者（Ａ）が「卒業アルバム購入」項目を選択した場合には、ウェブサイト管理部（２ｆ）は、「卒業アルバム購入」のウェブページを画像表示手段（１ｃ）に表示する。
【００５５】
「個別写真購入」のウェブページは、写真アルバム製作者（Ｂ）が撮影し調節等を行った写真が行事等毎に整理されて配置されているウェブページであり、利用者（Ａ）は「個別写真購入」のウェブページにおいて所望の写真を選択して購入することができる。
【００５６】
利用者（Ａ）が「卒業アルバム購入」項目のウェブページを通じて写真アルバム製作者（Ｂ）に卒業アルバムの製作を依頼する手順について説明する。利用者用情報端末機（１）は、写真アルバム製作者用情報端末機（２）に対して、共通ページ部に係るページデータ及び選択ページ部の候補に係るページデータを提供するように要求する（Ｓ５０１）。ウェブサイト管理部（２ｆ）は、利用者用情報端末機（１）からの要求に応じて共通ページ部に係るページデータ及び選択ページ部の候補に係るページデータを利用者用情報端末機（１）に提供してその画像表示手段（１ｃ）に表示する（Ｓ６０１）。
【００５７】
利用者（Ａ）は、画像表示手段（１ｃ）に表示された選択ページ部の候補に係るページデータの内、卒業アルバムの選択ページ部に係るページデータとして選択する特定のページデータを入力手段（１ｄ）を介して入力し、利用者用情報端末機（１）は写真アルバム製作者用情報端末機（２）にその情報を送信する（Ｓ５０２）。ここで、利用者（Ａ）は、選択ページ部を欲しなければ選択ページ部に係るページデータを全く選択しなくてもよい。また、利用者（Ａ）は、選択ページ部に係るページデータを単数でも複数でも選択することができる。選択ページデータ記憶部（２ｅ）は、上記のようにして利用者（Ａ）が選択したページデータを選択ページ部に係るページデータとして記憶する（Ｓ６０２）。
【００５８】
ウェブサイト管理部（２ｆ）は、共通ページ部に係るページデータの画像と選択ページ部に係るページデータの画像とを卒業アルバムに係るページデータの画像として画像表示手段（１ｃ）に表示する（Ｓ６０３）。利用者（Ａ）は、画像表示手段（１ｃ）に表示された該卒業アルバムに係るページデータの画像の内容を確認し、その確認した内容に係る卒業アルバムの製作を申し込む旨の情報を利用者用情報端末機（１）から写真アルバム製作者用情報端末機（２）に送信する（Ｓ５０３）。
【００５９】
決済処理部（２ｉ）は、利用者（Ａ）から卒業アルバムの購入を申し込む旨の送信を受けて、選択ページデータ記憶部（２ｅ）に記憶されたページデータに応じて、利用者（Ａ）が該写真アルバムを購入するための金額を計算するとともに、該金額といった該卒業アルバムの購入の決済に関する情報を画像表示手段（１ｃ）に表示する（Ｓ６０４）。決済操作部（１ｅ）は、利用者（Ａ）が画像表示手段（１ｃ）に表示された決済に関する情報を確認した上で、入力手段（１ｄ）を介してクレジットカード番号といった該決済に必要な情報を入力し、その入力された情報を写真アルバム製作者用情報端末機（２）に送信する（Ｓ５０４）。決済処理部（２ｉ）は、その受信した決済に関する情報に基づいて該決済を行う（Ｓ６０５）。
【００６０】
写真アルバム製作者用情報端末機（２）は、該写真アルバムの購入に係る決済を行うと、該卒業アルバムの購入を申し込む手続が完了した旨の情報を利用者（Ａ）が登録したメールアドレス宛てに電子メールで連絡し、及び／又は利用者用情報端末機（１）の画像表示手段（１ｃ）に表示する（Ｓ６０６）。利用者（Ａ）は、利用者用情報端末機（１）に該卒業アルバムの製作を申し込む手続が完了した旨の通知を受信する（Ｓ５０５）。
【００６１】
出力部（２ｊ）は、選択ページデータ記憶部（２ｅ）に記憶されたページデータと共通ページ部に係るページデータとを結合して卒業アルバムとして出力し、各種の印刷機や製本機によって印刷及び製本を行う（Ｓ６０７）。配送管理部（２ｋ）は、該児童や生徒が所属する教育機関や利用者（Ａ）の自宅や職場といった利用者（Ａ）が卒業アルバムの受領先として指定した場所に、該卒業アルバムを発送する（Ｓ６０８）。利用者（Ａ）は、発送された卒業アルバムを指定の場所で受領する（Ｓ５０６）。
【００６２】
上記のような実施態様に係る本願発明の写真アルバム製作システム及びその制御方法によれば、写真アルバム製作者がその内容を作成した複数の選択ページ部の候補に係るページデータを選択ページ部の候補として提供するものである。そうすると、利用者は、該選択ページ部の候補から選択ページ部として掲載することを希望するページデータを選択するだけであるから、写真アルバムの製作に十分な知識や経験を有していない利用者であっても、簡便に自らの所望する内容を有する写真アルバムを製作することができる。また、利用者は、該選択ページ部の候補から選択ページ部として掲載することを希望するページデータを選択するだけで、写真アルバムの製作に係る十分な知識や経験等を有していなくても、利用者が満足する内容を備える写真アルバムを製作することができる。
【００６３】
上記のような実施態様に係る本願発明の写真アルバム製作システム及びその制御方法によれば、特定の児童や生徒が所属する学級や学年に均等に配布される写真アルバムにおいて、該写真アルバムに共通した内容を掲載する共通ページ部と、該学級を担任する教員等の教育機関の教職員あるいは該児童や生徒又はその保護者等の利用者が選択した内容を掲載する選択ページ部とからなる写真アルバムを製作することができる。そうすると、該利用者が選択した内容を掲載することができるため、児童や生徒あるいはその保護者等の間に不公平感を生じさせることはなく、該卒業アルバムを編集する者も多大な責任や労力の負担を強いられることなく、卒業アルバムとしての面白みも担保される。また、児童や生徒あるいはその保護者等からの該卒業アルバムに掲載することを望む写真を掲載し、あるいは望まない写真を掲載しないといった個別的な要望に応じるとともに、該卒業アルバムを購入するために出費してもよいと考える金額に応じた卒業アルバムを製作することもできる。
【符号の説明】
【００６４】
Ｓ  写真アルバム製作システム
Ａ  利用者
Ｂ  写真アルバム製作者
１  利用者用情報端末機
１ａ  制御手段
１ｂ  通信手段
１ｃ  画像表示手段
１ｄ  入力手段
１ｅ  決済操作部
２  写真アルバム製作者用情報端末機
２ａ  制御手段
２ｂ  通信手段
２ｃ  記憶手段
２ｄ  ページデータ記憶部
２ｅ  選択ページデータ記憶部
２ｆ  ウェブサイト管理部
２ｇ  利用者情報データベース
２ｈ  認証管理部
２ｉ  決済処理部
２ｊ  出力部
２ｋ  配送管理部
【図１】
2020135093.tif 000003
【図２】
2020135093.tif 000004
【図３】
2020135093.tif 000005
【図４】
2020135093.tif 000006
【図５】
2020135093.tif 000007